(57)【要約】      （修正有）【課題】正面部側から表示部の表示面を見ることが困難である場所に設置された場合でも、容易に検針を行うことができるユーティリティー計量計を提供する。【解決手段】表示部１６をその表示面１６ａをユーティリティー計量計１０の正面方向に向けて設置するための正面取付け構造部（１６ｂ、１８）と、表示部１６をその表示面１６ａをユーティリティー計量計１０の側面方向に向けて設置するための側面取付け構造部（１６ｂ、１９、２１）と、を備え、表示部１６を正面方向又は側面方向で選択的に設置可能とする。これにより、表示面１６ａが向く方向を正面側と側面側とで選択することができるので、ユーティリティー計量計１０の設置場所に応じて、どちらか見やすい側に表示面１６ａの向く方向を選択することができ、容易に検針を行うことができる。【選択図】図１
2008096274.tif 000002
【特許請求の範囲】
【請求項１】
使用されたユーティリティー量を表示する表示面を有する表示部が、前記表示面が外部から視認可能な状態で取り付けられたユーティリティー計量計において、
前記表示部をその表示面をユーティリティー計量計の正面方向に向けて設置するための正面取付け構造部と、
前記表示部をその表示面をユーティリティー計量計の側面方向に向けて設置するための側面取付け構造部と、を備え、
前記表示部を前記正面方向又は側面方向で選択的に設置可能としたことを特徴とするユーティリティー計量計。
【請求項２】
前記正面取り付け構造部は、
ユーティリティー計量計の構成部材を収容する筐体状のカバー部の正面側壁部に形成された表示部受け部と、前記表示部に設けられ前記表示部受け部に固定される取付け部と、を含み、
前記側面取り付け構造部は、
前記筐体状カバー部の側面側壁部に形成された表示部受け部と、前記表示部の取付け部と、を含むことを特徴とする請求項１に記載のユーティリティー計量計。
【請求項３】
前記表示部受け部は、前記カバー部材の壁部に基端部が固定された所定長さの１又は複数の突状体とされ、
前記表示部の取付け部は、前記突状体を挿入固定可能な孔部とされたことを特徴とする請求項２に記載のユーティリティー計量計。
【請求項４】
前記筐体状のカバー部は、略透明の部材にて形成され、
前記表示部受け部は、
前記カバー部の前記正面側壁部及び側面側壁部の内側面に形成され、
前記表示部を前記カバー部の内部に取付けるようにしたことを特徴とする請求項２又は３に記載のユーティリティー計量計。
【請求項５】
前記筐体状カバー部は、２つの対向する側面側壁部を有し、前記表示部受け部は、それら双方の壁部に形成され、
前記表示部を選択的に設置可能としたことを特徴とする請求項２〜４の何れか１項に記載のユーティリティー計量計。
【請求項６】
前記表示部をその表示面をユーティリティー計量計の上部方向に向けて設置するための上部取付け構造部を有し、
前記表示部を選択的に設置可能としたことを特徴とする請求項１〜５の何れか１項に記載のユーティリティー計量計。
【請求項７】
前記表示部をその表示面をユーティリティー計量計の下部方向に向けて設置するための下部取付け構造部を有し、
前記表示部を選択的に設置可能としたことを特徴とする請求項１〜６の何れか１項に記載のユーティリティー計量計。
【発明の詳細な説明】
【技術分野】
【０００１】
本発明は、ユーティリティー計量計に関し、特に、使用されたユーティリティーを計量し、その計量されたユーティリティーの量を表示部に表示するユーティリティー計量計に関する。
【背景技術】
【０００２】
従来より、電気、水道、ガスと言った使用者が所定の料金を支払うことで利用できるユーティリティーの使用量を計量して表示するユーティリティー計量計が使用されている。このユーティリティー計量計は、ユーティリティーの使用量を計量する計量部と、その計量部で計測されたユーティリティー量の数値を表示する表示部とを有している。
【０００３】
そして、このユーティリティー計量計は、計量対象であるユーティリティーの種類或いは、計量対象となる民家やマンション等の建物の状況に応じて種々の位置に設置されていた。
【０００４】
ところが、このユーティリティー計量計の表示部は、その表示面を正面方向に向けて固定された状態で設けられており、ユーティリティー計量計の設置場所によって、表示部の表示面を正しい向きで見ることができずに検針が困難な場合があった。
【０００５】
この問題を解決するために、特許文献１には、ガス消費量が表示される表示部が、計量部を収容している直方体状のハウジング（本体）の正面部上で旋回し、所定の旋回位置において上記表示部の位置固定を行うことができるガスメータが開示されている。
【０００６】
特許文献１の技術によれば、表示部を旋回させ、表示面の上記正面上での設置角度を変えることにより、ユーティリティー計量計の設置場所に応じて適宜見やすくなるように調節することが可能である。
【０００７】
【特許文献１】特開平１１−５１７３９
【発明の開示】
【発明が解決しようとする課題】
【０００８】
しかし、例えば、従来のユーティリティー計量計の多くは、建物の美観を損ねることのないように、また、通行の妨げの防止等の理由により、家屋と家屋の間等の通行頻度の少ない場所に設置されることが多い。そして、この種の場所は狭いことが多く検針員が検針のため表示部を見ようとしても、ユーティリティー計量計を正面側から見ることすらできない状況も生じている。
【０００９】
従って、このような場合、特許文献１の技術では、表示部を正面上で旋回させることができるに止まり、表示面の表示方向を変えることはできない。従って、正面側からの検針等が不可能であるという問題があった。
【００１０】
この問題に対する従来行われてきた解決案として、ユーティリティー計量計の設置場所の近くで検針員が入れる位置から、長い棒の先に鏡を取付けたものを用い、表示部をその鏡に映して見るというような方法が取られていた。しかし、当然のことであるがこの方法では、表示部が非常に見にくく時間もかかり、検針作業に多大な労力と時間が費やされていた。
【００１１】
本発明は、このような事情に鑑みてなされたものであり、その目的は、正面部側から表示部の表示面を見ることが困難である場所に設置された場合でも、容易に検針を行うことができるユーティリティー計量計を提供することである。
【課題を解決するための手段】
【００１２】
上記課題を解決するために、請求項１に記載のユーティリティー計量計は、使用されたユーティリティー量を表示する表示面を有する表示部が、前記表示面が外部から視認可能な状態で取り付けられたユーティリティー計量計において、前記表示部をその表示面をユーティリティー計量計の正面方向に向けて設置するための正面取付け構造部と、前記表示部をその表示面をユーティリティー計量計の側面方向に向けて設置するための側面取付け構造部と、を備え、前記表示部を前記正面方向又は側面方向で選択的に設置可能としたことを特徴とする。
【００１３】
これにより、ユーティリティー計量計がその表示部を正面側から視認できない場所に設置された場合、表示部の表示面を側面方向に向けて取付けることによって表示面を側面側から見ることができ、容易に検針を行うことができる。
【００１４】
また、逆にユーティリティー計量計がその表示部を側面側から視認できない場所に設置された場合、表示部の表示面を正面方向に向けて取付けることによって表示面が側面側から見ることができ、容易に検針を行うことができる。
【００１５】
従って、表示面が向く方向を正面側と側面側とで選択することができるので、ユーティリティー計量計の設置場所に応じて、どちらか見やすい側に表示面の向く方向を選択することができ、容易に検針を行うことができる。
【００１６】
請求項２に記載の発明は、請求項１に記載のユーティリティー計量計において、前記正面取り付け構造部は、ユーティリティー計量計の構成部材を収容する筐体状のカバー部の正面側壁部に形成された表示部受け部と、前記表示部に設けられ前記表示部受け部に固定される取付け部と、を含み、前記側面取り付け構造部は、前記筐体状カバー部の側面側壁部に形成された表示部受け部と、前記表示部の取付け部と、を含むことを特徴とする。
【００１７】
これにより、表示部は、その表示面を正面側又は側面側に向けて、それぞれカバー部の正面側壁部又は側面側壁部に取付けられるので、正面側又は側面側から表示面を視認しやすく、検針作業を容易なものとすることができる。
【００１８】
請求項３に記載の発明は、請求項２に記載のユーティリティー計量計におい
て、前記表示部受け部は、前記カバー部材の壁部に基端部が固定された所定長さの１又は複数の突状体とされ、前記表示部の取付け部は、前記突状体を挿入固定可能な孔部とされたことを特徴とする。
【００１９】
これにより、表示部の取付けを孔部に突状体を挿入するだけで容易に行うことができるので、正面側壁部と側面側側壁部の間で表示部の付け替えを容易に行うことができる。
【００２０】
請求項４に記載の発明は、請求項２又は３に記載のユーティリティー計量計において、前記筐体状のカバー部は、略透明の部材にて形成され、前記表示部受け部は、前記カバー部の前記正面側壁部及び側面側壁部の内側面に形成されたことを特徴とする。これにより、表示部の取付けがカバー部の内部で行われることとなるので、カバー部により表示部を汚れや雨等から保護することができる。
【００２１】
請求項５に記載の発明は、請求項２〜４の何れか１項に記載のユーティリティー計量計において、前記筐体状カバー部は、２つの対向する側面側壁部を有し、前記表示部受け部は、それら双方の壁部に形成されたことを特徴とする。
【００２２】
これにより、表示部の取付け位置をカバー部の一方の側面壁部と他方の側面部とで選択することができるので、例えば、片方の側面側からしか表示部の表示面を見ることができない場所に、本発明にかかるユーティリティー計量計が設置されている場合でも、上記片方の側面側にあたる側面側壁部の表示部受け部に表示部を取付けることによって、その表示面を当該側面側から容易に見ることができ、検針作業が容易なものとなる。
【００２３】
請求項６に記載の発明は、請求項１〜５の何れか１項に記載のユーティリティー計量計において、前記表示部をその表示面をユーティリティー計量計の上部方向に向けて設置するための上部取付け構造部を有することを特徴とする。
【００２４】
これにより、ユーティリティー計量計がその表示部を上部側からしか視認できない場所に設置された場合でも、表示部の表示面を上部方向に向けて取付けることによって表示面を上部側から見ることができ、検針作業が容易なものとなる。
【００２５】
請求項７に記載の発明は、請求項１〜６の何れか１項に記載のユーティリティー計量計において、前記表示部をその表示面をユーティリティー計量計の下部方向に向けて設置するための下部取付け構造部を有することを特徴とする。
【００２６】
これにより、ユーティリティー計量計がその表示部を下部側からしか視認できない場所に設置された場合でも、表示部の表示面を下部方向に向けて取付けることによって表示面を下部側から見ることができ、検針作業が容易なものとなる。
【発明の効果】
【００２７】
本発明にかかるユーティリティー計量計によれば、表示部の表示面を正面側から視認し難い場合でも、表示面の設置方向を選択することができるので、ユーティリティー計量計の設置場所の状況に応じて、適切な見やすい方向とすることができ、検針作業を容易なものとすることができる。
【発明を実施するための最良の形態】
【００２８】
以下、本発明にかかる第１、第２の実施の形態ついて図面を参照にして詳細に説明する。図１は、第１の実施の形態にかかる電力量計１０の概略斜視図である。図示のように、電力量計１０は、ポリカーボネート等の樹脂製で筐体状の透明なカバー部１２を有している。このカバー部１２は、酸化チタンコーティングが施されており、基部側にはその周囲を囲むように取付け枠２２が固定されている。取付け枠２２はボルト１０２によって、所定の家屋の壁面等に設置するための台座２０に取付けられている。
【００２９】
なお、上記カバー部１２に施される酸化チタンコーティングは、カバー部１２に光触媒機能を付加して汚れの付着を防止し、検針作業を行い易くするためのものであり、本実施の形態における必須の構成要素ではない。
【００３０】
カバー部１２の内部には、台座２０に固定された計量部１４が設けられており、この計量部１４は、電力量計１０が設置される家屋等で使用された電力量を所定の回路を介して計測する図示しない計測手段を有している。また、同じくカバー部１２の内部には、計量部１４で計量された電力量にかかるデータを無線で受信し、そのデータに基づく数値を表示面１６ａに表示する表示部１６が設置されている。なお、この計量部１４と表示部１６の信号の送受は、これらを所定の信号線で結線することによって行っても良い。
【００３１】
本実施の形態の特徴的構成は、この表示部１６の設置構造にあり、本実施の形態ではカバー部１２側の構造部として、正面部１２ａ、一方の側面部１２ｂ、他方の側面部１２ｃのそれぞれの上部寄り位置に、突状体（表示部受け部）１８、１９、２１が４個ずつ設けられている。
【００３２】
本実施の形態では、表示部１６が側面部１２ｂに設置された状態が示されており、表示部１６は、その表示面１６ａを側面部１２ｂの内側面に接触させて、すなわち、側面部１２ｂから外側の方向に向いた状態で突状体１９によって取付けられている。
【００３３】
図２は、表示部１６側の設置構造を示すための表示部１６の斜視図であり、表示部１６は、図示のように略直方体状に形成されており、四隅に上述の突状体１８、１９、２１が嵌合可能な孔部（取付け部）１６ｂを表示部１６の構造部として有している。なお、表示部１６は、表示面１６ａに上述した電力量表示を行うデータ表示窓１７を有している。
【００３４】
図３は、表示部１６が取付けられる前の側面部１２ｂの突状体１９の部分の断面図である。図示のように、突状体１９は、基端部が側面部１２ｂに埋め込まれた状態で接着剤等により固定され、カバー部１２の内部側に突出している。
【００３５】
なお、突状体１９は、樹脂や金属等の硬質部材にて形成されており、表示部１６の孔部１６ｂに嵌合可能な外径を有しており、先端部近傍には後述するスナップリング２３を取付ける溝部１９ａを有している。なお、正面部１２ａの突状体１８、側面部１２ｃの突状体２１もこの突状体１９と同一の構成である。
【００３６】
図４は、表示部１６が取付けられた後の側面部１２ｂの突状体１９の部分の断面図である。図示のように、表示部１６の表示面１６ａが側面部１２ｂから外側方向を向くように突状体１９が孔部１６ｂに挿入され、その状態で更にスナップリング２３を溝部１９ａに取付けることにより、表示部１６が側面部１２ｂとスナップリング２３により挟持されしっかりと固定される。なお、スナップリング２３は弾力性のある部材にて形成されている。
【００３７】
これにより、表示部１６は、その表示面１６ａを側面部１２ｂから外側の方向に向けて、側面部１２ｂの内部側に設置されているので、側面部１２ｂ側から表示面１６ａを視認しやすくなっている。従って、正面側から表示面１６ａが見難い場合であっても、側面側からの検針作業が容易なものとなっている。また、表示部１６は、カバー部１２の内部に設置されているので、カバー部１２により表示部１６を汚れや雨等から保護することができる。
【００３８】
なお、本実施の形態では、側面部１２ｂ、１２ｃの両方にそれぞれ突状体１９、２１が設けられているが、本発明の作用を確保するためには、少なくとも一方の側面部に設けていれば良い。
【００３９】
以上のようにカバー部１２の各面部１２ａ、１２ｂ、１２ｃに突状体１８、１９、２１を設けたことにより、表示部１６をカバー部１２の正面部１２ａと側面部１２ｂと側面部１２ｃとの間で選択的に設置箇所を決定することができる。
【００４０】
図５は、図１に示した本実施の形態にかかる電力量計１０が家屋１００の壁部に設置された状態を示す説明図である。図示のように、家屋１００の壁面１００ａと隣接建造物１０２との間の距離は、人が入り難い程度に小さく、正面側からの検針が困難な状況となっている。
【００４１】
上述したように、表示部１６がその表示面１６ａを側面部１２ｂから外側の方向に向けた状態で側面部１２ｂの内側面に設置されているので、検針員２６は、家屋１００と隣接建造物１０２の間に入ることなく、カバー部１２の側面部１２ｂ側から表示部１６を見て検針を行うことができる。
【００４２】
このように、本実施の形態にかかる電力量計１０によれば表示部１６の正面側又は、何れか一方の側面側への設置が可能であり、表示部１６を電力量計１０の設置場所の状況に応じて、正面又は側面の見やすい側に表示面１６ａの向く方向を選択することができ、常に見やすい方向からの検針作業が可能となる。
【００４３】
次に、第２の実施の形態について説明する。図６は、本実施の形態にかかる電力量計１０の概略斜視図である。なお、第１の実施の形態と同様の要素には、同一の符号を付し、その説明を省略する。図示のように、本実施の形態の特徴的部分として、第１の実施の形態で説明した突状体１８、１９、２１と略同一の突状体２８及び２９が上面部１２ｄ及び下面部１２ｅにもそれぞれ設けられている。そして、上面部１２ｄには、表示部１６がその表示面１６ａを上方に向けた状態で設置されている。
【００４４】
図７は、図６に示した実施の形態にかかる電力量計１０が横方向からは視認できない設置状況である場合の例が示されている。図示のように、電力量計１０は、壁部１０４、１０５に囲まれ、検針員２６が電力量計１０の傍に入れない状況にある。この場合、表示部１６がその表示面１６ａを上方に向けて突状体２８によって上面部１２ｄに設置されていることにより、検針員２６は、容易に表示面１６ａを上方側から見ることができ、検針作業が可能となっている。
【００４５】
また、図示しないが、表示部１６をその表示面１６ａを下方に向けた状態で、下面部１２ｅの突状体２９により取付けても良い。これにより、表示部１６の表示面１６ａを下方から容易に視認することができる。従って、電力量計１０が高い位置に設置されている場合等により、表示部１６の表示面１６ａを電力量計１０の下方側以外から見ることが困難な場合であっても、検針作業が容易なものとなる。
【００４６】
また、本実施の形態では、上面部１２ｄ及び下面部１２ｅの両方に突状体を設けた例を説明したが、両方に設ける必要がなければ、どちらか一方のみに設けても良い。
【００４７】
なお、本発明は、上記第１、第２実施の形態に限定されるものではなく、発明の要旨の範囲内で種々の変更が可能である。例えば、上記第１、第２の実施の形態では、本発明を電力量計に適用した例を説明しているが、これに限ることなく、他のユーティリティー計量計（水道メータやガスメータ等）であっても、表示部の取付け位置を変更可能とするができるものであれば、容易に適用可能である。また、表示部１６のカバー部１２への取付け手段は、上記第１、第２の実施の形態に記載したものに限らず、ねじ止めや接着テープ等の他の種々の手段を適用することができる。
【００４８】
また、上記第１、第２実施の形態では、カバー部１２を有している電力量計１０についての例を説明したが、これに限らず、カバー部１２を有しないものでも、表示面が向く方向を少なくとも正面側と側面側に選択的に変更できるような表示部の取付け構造を有したユーティリティー計量計であれば、本発明の適用が可能である。
【図面の簡単な説明】
【００４９】
【図１】第１の実施の形態にかかる電力量計の概略斜視図である。
【図２】表示部の斜視図である。
【図３】表示部を取付ける前のカバー部の一方の側面部の要部断面図である。
【図４】表示部を取付けた後のカバー部の一方の側面部の要部断面図である。
【図５】第１の実施の形態にかかる電力量計が設置された状態を示す説明図である。
【図６】第２の実施の形態にかかる電力量計の概略斜視図である。
【図７】第２の実施の形態にかかる電力量計が設置された状態を示す説明図である。
【符号の説明】
【００５０】
１０      電力量計
１２      カバー部
１２ａ    正面部
１２ｂ    側面部
１２ｃ    側面部
１２ｄ    上面部
１２ｅ    下面部
１４      計量部
１６      表示部
１６ａ    表示面
１６ｂ    孔部
１８      突状体
１９      突状体
２１      突状体
【図１】
2008096274.tif 000003
【図２】
2008096274.tif 000004
【図３】
2008096274.tif 000005
【図４】
2008096274.tif 000006
【図５】
2008096274.tif 000007
【図６】
2008096274.tif 000008
【図７】
2008096274.tif 000009